(57)【要約】【課題】照明装置にネジ止め等のためのスペースを設ける必要がなく、組み立て時の工程を減らすこともできる遊技機を提供する。【解決手段】光源４０からの光を反射するリフレクタ３５と、表面に複数の光源４０を有しリフレクタ３５に設けられる照明基板３２と、リフレクタ３５に着脱可能に取り付けられ光源４０どうしの間を仕切る仕切り部材３６と、前記リフレクタに取り付けられた前記仕切り部材３６のリフレクタ３５からの逸脱を防止する固定手段４とを備え、仕切り部材３６は、照明基板３２の表面に当接しているので、遊技機の照明装置３０にネジ止め等のためのスペースを設ける必要がなく、組み立て時の工程を減らすこともできる。【選択図】図１１
2019092632.tif 000002
【特許請求の範囲】
【請求項１】
光源からの光を反射するリフレクタと、表面に複数の前記光源を有し前記リフレクタに設けられる照明基板と、前記リフレクタに着脱可能に取り付けられ前記光源どうしの間を仕切る仕切り部材と、前記リフレクタに取り付けられた前記仕切り部材のリフレクタからの逸脱を防止する固定手段とを備える遊技機であって、
前記仕切り部材は、前記照明基板の表面に当接していることを特徴とする遊技機。
【請求項２】
前記リフレクタは、前記照明基板の裏面に当接するリブを備えており、
前記仕切り部材と前記リブとは、前記照明基板の面方向においてずれた位置に配置されていることを特徴とする請求項１に記載の遊技機。
【発明の詳細な説明】
【技術分野】
【０００１】
本発明は、遊技機に関する。
【背景技術】
【０００２】
スロットマシンやパチンコ遊技機等の遊技機は、遊技機を装飾するためあるいは演出や報知を行うために照明装置を備える。また、照明装置として、複数の光源を有する照明基板を備えるとともに、光源どうしを仕切る仕切り部材を備えるものが知られている。また、このような照明装置を備える遊技機としては、例えば特許文献１に記載の遊技機のように、光源どうしを仕切りたい場合と仕切りたくない場合とに対応できるように、仕切り部材が着脱可能となっているものが知られている。
【先行技術文献】
【特許文献】
【０００３】
【特許文献１】特開２００５−１２４８９９号公報
【発明の概要】
【発明が解決しようとする課題】
【０００４】
ところで、照明装置においては、照明基板が外れたり撓んだりしないようにするために、照明基板を何らかの方法で支える必要がある。しかしながら、例えばネジ止めにより照明基板が外れたり撓んだりするのを防ごうとする場合、照明基板等にネジ止めをするためのスペースを設ける必要があったり、組み立て時の工程が増えてしまったりするおそれがある。
【０００５】
本発明は、前記事情に鑑みてなされたもので、照明装置にネジ止め等のためのスペースを設ける必要がなく、組み立て時の工程を減らすこともできる遊技機を提供することを目的とする。
【課題を解決するための手段】
【０００６】
前記目的を達成するために、本発明の遊技機は、光源からの光を反射するリフレクタと、表面に複数の前記光源を有し前記リフレクタに設けられる照明基板と、前記リフレクタ３５に着脱可能に取り付けられ光源４０どうしの間を仕切る仕切り部材３６と、前記リフレクタに取り付けられた前記仕切り部材３６のリフレクタ３５からの逸脱を防止する固定手段４とを備える遊技機であって、前記仕切り部材は、前記照明基板の表面に当接していることを特徴とする。
【０００７】
このような構成によれば、固定手段によってリフレクタからの逸脱が防止されている仕切り部材に照明基板の表面が当接しており、当該当接している部分が仕切り部材によって支えられる（押さえられる）ので、当該当接している部分については、ネジ止め等によって照明基板を支える必要がない。すなわち、仕切り部材を着脱可能としつつ、この仕切り部材によって、照明基板の一部を支えることができる。したがって、仕切り部材によって支えられる部分について、照明基板等にネジ止め等のためのスペースを設ける必要がない。また、ネジ止め等の工程が不要となるので、照明装置ひいては遊技機の組み立て時の工程を減らすことができる。
【０００８】
また、本発明の前記構成において、前記リフレクタは、前記照明基板の裏面に当接するリブを備えており、前記仕切り部材と前記リブとは、前記照明基板の面方向においてずれた位置に配置されていることが好ましい。
【０００９】
このような構成によれば、照明基板の表面側への動きを仕切り部材によって規制しつつ、裏面側への動きをリフレクタのリブによって規制できる。また、仕切り部材とリブとは、照明基板の面方向においてずれた位置に配置されているため、照明基板の一部が仕切り部材とリブとによって挟まれてしまいこの部分に過度の負荷がかかるようなことがない。したがって、照明基板の一部に力がかかり過ぎてしまうのを防ぎ、照明基板が傷むのを防ぐことができる。
【発明の効果】
【００１０】
本発明の遊技機によれば、照明装置にネジ止め等のためのスペースを設ける必要がなく、組み立て時の工程を減らすこともできる。
【図面の簡単な説明】
【００１１】
【図１】本発明の実施の形態に係る遊技機の一例を示すもので、その斜視図である。
【図２】同、照明装置を示す分解斜視図である。
【図３】同、リフレクタを示すもので、前側から見た斜視図である。
【図４】同、照明基板および仕切り部材のリフレクタへの取り付け状態を示すもので、前側から見た斜視図である。
【図５】同、照明装置を示すもので、後側から見た斜視図である。
【図６】同、左側の基板収容部の取付部を示すもので、（ａ）は右前側から見た斜視図、（ｂ）は左前側から見た斜視図である。
【図７】同、左側の基板収容部の開口部を示すもので、左後側から見た斜視図である。
【図８】同、右側の基板収容部の取付部を示すもので、左前側から見た斜視図である。
【図９】同、右側の基板収容部の開口部を示すもので、右後側から見た斜視図である。
【図１０】同、照明装置を示すもので、前側から見た斜視図である。
【図１１】同、照明装置を示すもので、右側から見た断面図である。
【図１２】同、取付部の要部を示すもので、（ａ）は左側の基板収容部の当該要部を右前側から見た斜視図、（ｂ）は右側の基板収容部の当該要部を左前側から見た斜視図である。
【発明を実施するための形態】
【００１２】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１４】
また、筐体１の正面には、筐体１の正面開口部を開閉可能に閉塞する前扉３が設けられている。
前記筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１５】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００１６】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓を通して１リール当たり３個の図柄が表示される。そして、３個の回転リールが停止したときに表示窓を通して表示される図柄の組み合わせによって当選役が入賞したか否かが表示される。
【００１７】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００１８】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００１９】
また、前扉３の上下方向中央部には、スロットマシンＸを操作するための操作部１０が設けられている。また、操作部１０には、クレジットされたメダルを払い出すための精算スイッチ１１、１枚のメダルをゲームに投資するときに操作される１ベットスイッチボタン１２、３枚（最大数）のメダルをゲームに投資するときに操作されるＭＡＸベットスイッチボタン１３、ゲームを開始させるためのスタートレバー１４、回転リールの回転を停止させるためのストップスイッチ１５、メダルを投入するためのメダル投入口１６、メダル投入口１６の下方のメダル通路内で発生したメダル詰まりを解消するリジェクトボタン１７等が設けられている。
【００２０】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するための下パネル２０が設けられている。また、下パネル２０の背面側には、照明用の光源（ＬＥＤ）が設けられており、この光源からの光によって下パネル２０が背後から照らされるようになっている。
【００２１】
前記パネル４は、図２に示すように、照明装置３０の一部となっている。具体的には、照明装置３０は、パネル４と、照明基板３１，３２，３３と、報知装置３４と、照明基板３１，３２，３３からの光がパネル４に向かうように光を反射するリフレクタ３５と、略長方形板状の仕切り部材３６と、上側仕切り部材３７と、を備えている。
【００２２】
照明基板３１は、左右に長尺な略長方形板状をしており、その表面（前面）には光源として複数のＬＥＤ４０が設けられている。また、照明基板３１の左右両端部には、ネジを挿通させるためのネジ挿通孔４１が設けられている。また、照明基板３１には、左右のネジ挿通孔４１の間に、ネジ挿通孔４１よりも小径の孔４２が２つ左右に離間して設けられている。また、照明基板３１の裏面（後面）の下部には、光源として複数のＬＥＤ２００が左右方向に一列に並べて設けられている（図５参照）。
また、照明基板３２および照明基板３３は、上下に長尺な略長方形板状をしており、その表面（前面）には、光源として複数のＬＥＤ４０が設けられている。また、照明基板３２および照明基板３３の上下両端部には、ネジを挿通させるためのネジ挿通孔４３およびネジ挿通孔４３よりも小径の孔４４が設けられている。また、上側のネジ挿通孔４３および孔４４と、下側のネジ挿通孔４３および孔４４とでは、左右の配置が逆になっている。
また、照明基板３１，３２，３３の裏面（後面）には、照明基板３１，３２，３３に電源を送るための配線や、ＬＥＤ４０を制御（点灯、消灯、点滅等）するための制御信号を送るための配線が接続されるコネクタ４５が設けられている（図５参照）。
【００２３】
報知装置３４は、セグメントＬＥＤ４６を複数備えており、クレジットされているメダルの枚数や、遊技の結果払い出されるメダルの枚数や、所定の遊技区間における遊技の回数等をセグメントＬＥＤ４６によって遊技者に報知することができるようになっている。また、報知装置３４は、複数のＬＥＤを備えており、このＬＥＤの点灯により、スタートレバー１４が有効な状態となっているか（スタートレバー１４の操作により遊技が開始可能な状態となっているか）、メダルの投入が有効な状態となっているか、何枚のメダルがベットされているか、リプレイ役の入賞により再遊技可能な状態となっているか等を遊技者に報知することができるようになっている。また、報知装置３４は、その前面の左右方向中央部の下側に前方に突出する円筒状突出部４７を備えている。また、報知装置３４は、ネジを挿通させるためのネジ挿通孔を４つ備えている。
【００２４】
リフレクタ３５は、図３に示すように、略矩形枠状の背面板５１と、この背面板５１の外周縁に沿って前方に突出するように設けられた略矩形環状の外壁部５２と、を備えており白色の合成樹脂により一体的に成形されている。また、リフレクタ３５は、背面板５１の内周縁の左辺部、右辺部および下辺部に沿って前方に突出するように設けられた略矩形環状の内壁部５３を備えている。また、内壁部５３の上辺部は、背面板５１の内周縁の上辺部から下側に離れて形成されている。そしてリフレクタ３５は、正面視において略長方形の枠状となる箱形に成形されている。また、リフレクタ３５の内壁部５３に囲われた部分は、前面側および後面側に向けて開口した開口窓３５ａとなっており、この開口窓３５ａを通して回転リールの一部が視認可能となっている。また、外壁部５２は背面板５１に対して略直角に設けられており、内壁部５３は前側にいくほど外壁部５２との間隔が広がるように、背面板５１に対して略直角な方向に対してわずかに傾けて設けられている。すなわち、背面板５１と外壁部５２と内壁部５３とに囲われた部分は、前側にいくほど拡径した形状に形成されている。
【００２５】
また、外壁部５２は、その上辺部、左辺部、右辺部の内面側に段差部５４を有しており、この段差部５４の前端面５４ａ（図６（ａ）、図８参照）は、外壁部５２の外面側の前端面よりも一段低くなっている（一段後側に配置されている）。また、段差部５４の前端面は、内壁部５３の前端面と面一となっている。
【００２６】
また、内壁部５３には、その上辺部の後端縁から上方に突出するようにして、板状の壁部５５が設けられている。また、壁部５５は、内壁部５３の上辺部の後端縁に接続された上方に延びる略長方形の板状部５５ａと、この板状部５５ａの上端縁に接続された、上側ほど後側に向かうように傾斜した傾斜部５５ｂとを有している。また、板状部５５ａの前面の左右両端部には、ボス５６が設けられている。
また、背面板５１には、その内周縁の上辺部に沿って反射部５７が設けられている。反射部５７は、背面板５１の内周縁の上辺部から前方に突出するように設けられた壁部５７ａと、この壁部５７ａの前端縁から下側ほど後側に向かうように傾斜した反射板５７ｂとを備えている。また、傾斜部５５ｂの上縁と、反射板５７ｂの下縁とは、正面視においてほぼ同じ位置に配置されている（略重なり合っている）とともに、傾斜部５５ｂの上縁の方が反射板５７ｂの下縁よりも前方に位置しており、この傾斜部５５ｂと反射板５７ｂとの間の隙間が開口部５８となっている。
【００２７】
リフレクタ３５は、背面板５１と、外壁部５２と、内壁部５３とに囲われた部分のうち、上側、左側および右側部分（すなわち正面視において枠状となっているリフレクタ３５の上辺部、左辺部および右辺部）が、それぞれ照明基板３１，３２または３３を収容する基板収容部６１，６２，６３となっている。また、背面板５１と、外壁部５２と、内壁部５３とに囲われた部分のうち、下側部分（すなわち正面視において枠状となっているリフレクタ３５の下辺部）が、報知装置３４を収容する報知装置収容部６４となっている。
【００２８】
以下では、背面板５１、外壁部５２、内壁部５３について、基板収容部６１に対応する部分を背面板５１ａ、外壁部５２ａ、内壁部５３ａとし、基板収容部６２に対応する部分を背面板５１ｂ、外壁部５２ｂ、内壁部５３ｂとし、基板収容部６３に対応する部分を背面板５１ｃ、外壁部５２ｃ、内壁部５３ｃとし、報知装置収容部６４に対応する部分を背面板５１ｄ、外壁部５２ｄ、内壁部５３ｄとして説明する。
【００２９】
基板収容部６１は、リブ６６と、ボス６７と、突起部６８と、開口部６９と、を備えている。リブ６６は、背面板５１ａの前面に、左右方向に並べて複数設けられており、各リブ６６は、上下に延在して設けられている。また、ボス６７は、背面板５１ａの前面の左右両端部に前方に突出して1つずつ設けられている。また、２つのボス６７はそれぞれ、複数のリブ６６のうちの左右両端部のリブ６６それぞれと一体的に形成されている。また、２つのボス６７の前端面と、複数のリブ６６の前端面とは、面一となっている。また、突起部６８は、背面板５１ａの前面に、左右に離間して２つ設けられている。また、突起部６８の先端は、リブ６６およびボス６７の前端面よりも前方に突出している。また、開口部６９は、照明基板３１の背面に設けられたコネクタ４５を背面側に露出させるためのものであり、背面板５１ａに左右に離間して２つ形成されている。
【００３０】
そして、基板収容部６１には、照明基板３１および２つの上側仕切り部材３７がネジ止めにより取り付けられ、収容されている。
上側仕切り部材３７は、図２に示すように、板状の仕切り部７０と、上側仕切り部材３７を基板収容部６１に固定するための板状の固定部７１とを備えている。仕切り部７０は、基板収容部６１に収容された状態において板面が左右方向を向くようになっており、固定部７１は、仕切り部７０から略直角に右外側または左外側に延びるように形成されている。また、固定部７１は、外壁部５２ａ、照明基板３１の表面、壁部５５に沿う形状となっている。また、固定部７１には、ネジを挿通させるためのネジ挿通孔７２が上下に離間して２つ設けられている。そして、２つの上側仕切り部材３７は、基板収容部６１の左右両端部に配置されている。
【００３１】
照明基板３１と上側仕切り部材３７とは、図４に示すように、照明基板３１の２つの孔４２それぞれに突起部６８が挿入され、リフレクタ３５に対する照明基板３１の位置決めがされた上で、左右両端部の上側仕切り部材３７の上側のネジ挿通孔７２および照明基板３１の左右両端部のネジ挿通孔４１に固定具としてのネジ７３が挿通され、このネジ７３がボス６７のネジ孔にねじ込まれることで、基板収容部６１に固定されている。また、左右両端部の上側仕切り部材３７の下側のネジ挿通孔７２にも、ネジ７３が挿通され、このネジ７３が壁部５５のボス５６にねじ込まれることで、上側仕切り部材３７がリフレクタ３５に固定されている。また、照明基板３１の裏面に設けられたＬＥＤ２００は、リフレクタ３５の反射板５７ｂに対向するように配置されており、ＬＥＤ２００からの光が反射板５７ｂで反射されて下方に向かい、開口部５８を通過して、回転リールあるいは回転リールの前方等を照らすようになっている（図５参照）。
【００３２】
また、上側仕切り部材３７の固定部７１の裏面は外壁部５２ａの内面、照明基板３１の表面、壁部５５の前面に当接している。また、照明基板３１の背面は、リブ６６およびボス６７の前端面に当接している。また、照明基板３１の背面のコネクタ４５には、開口部６９を通して配線が繋がれている。
なお、照明基板３１は、ネジ７３以外の固定具によって基板収容部６１（リフレクタ３５）に固定されていてもよい。例えば、基板収容部６１が照明基板３１を押さえるための爪等を備え、照明基板３１を押さえるようになっていてもよい。
【００３３】
基板収容部６２は、図３、図６に示すように、リブ７６と、ボス７７と、突起部７８と、開口部７９と、を備えている。リブ７６は、背面板５１ｂの前面の外壁部５２ｂ側と内壁部５３ｂ側とに、２つずつ設けられている。また、外壁部５２ｂ側の２つのリブ７６と、内壁部５３ｂ側の２つのリブ７６とは、それぞれ左右方向において対向する位置に設けられている。換言すると、背面板５１ｂの前面に設けられたリブ７６は、外壁部５２ｂ側に設けられたリブ７６と、内壁部５３ｂ側に設けられたリブ７６とで左右一対のリブ７６，７６となっており、この一対のリブ７６，７６が上下に離間して、２つ設けられている。
【００３４】
各リブ７６は、板状となっており、板面を上下方向に向けた状態で、背面板５１ｂの前面に立設されている。また、各リブ７６は、その前端部の対向するリブ７６側（内側）の部分が切り欠かれた形状となっており、この切り欠かれた部分の、前方を向く端面が、照明基板３３の背面と当接する当接面７６ａとなっている。
【００３５】
また、ボス７７は、背面板５１ｂの前面の上下両端部に前方に突出して１つずつ設けられている。また、２つのボス７７の前端面と、当接面７６ａとは、面一となっている。また、突起部７８は、背面板５１ｂの前面に、上下に離間して２つ設けられている。また、突起部７８の先端は、当接面７６ａおよびボス７７の前端面よりも前方に突出している。また、上側のボス７７および突起部７８と、下側のボス７７および突起部７８とでは、左右の配置が逆になっている。また、上側のボス７７と突起部７８との間および下側のボス７７と突起部７８との間にはそれぞれ、背面板５１ｂから前方に突出するリブ８０が設けられており、このリブ８０の前端面とボス７７の前端面とは面一となっている。
また、開口部７９は、照明基板３２の背面に設けられたコネクタ４５を背面側に露出させるためのものであり、背面板５１ｂの上端部および下端部に１つずつ形成されている。
【００３６】
そして、基板収容部６２には、図４に示すように、照明基板３２がネジ止めにより取り付けられ、収容されている。具体的には、照明基板３２の２つの孔４４それぞれに突起部７８が挿入され、リフレクタ３５に対する照明基板３２の位置決めがされた上で、照明基板３２の２つのネジ挿通孔４３それぞれに固定具としてのネジ８１が挿通され、このネジ８１がボス７７のネジ孔にねじ込まれることで、基板収容部６２に照明基板３２が固定されている（図２、図３参照）。また、照明基板３２の背面は、リブ７６の当接面７６ａおよびボス７７の前端面に当接している。また、照明基板３２の背面のコネクタ４５には、開口部７９を通して配線が繋がれている。
【００３７】
また、基板収容部６２は、図４、図６に示すように、仕切り部材３６が取り付けられる取付部８５を６つ備えている。取付部８５は、外壁部５２ｂと内壁部５３ｂとにそれぞれ設けられた一対の溝８６，８６を備えている。また、溝８６の幅は、仕切り部材３６の厚さとほぼ等しくなっている。そして、一対の溝８６，８６に１つの仕切り部材３６が挿入可能となっている。
なお、仕切り部材３６は、６つの取付部８５すべてに取り付けられていてもよく、一部の取付部８５のみに取り付けられていてもよい。すなわち、どの取付部８５に仕切り部材３６を取り付けるかは、遊技機の機種ごとに適宜設定すればいいようになっている。
【００３８】
また、各溝８６は、対となる溝８６と平行に前後方向に延びるように形成された断面コ字状の溝となっており、コ字の開口部分を対となる溝８６側に向けた状態となっている。また、各溝８６は、外壁部５２ｂまたは内壁部５３ｂに設けられた２つの平行な凸条８７，８７と外壁部５２ｂまたは内壁部５３ｂとによって形成されている。また、凸条８７，８７の前端面は、内壁部５３および段差部５４の前端面と面一となっている。また、溝８６は、前側が開口しており、この開口部から仕切り部材３６を挿入することができるようになっている。
なお、溝８６は、２つの平行な凸条８７，８７によって形成されているのではなく、外壁部５２ｂまたは内壁部５３ｂの一部が断面凹状に凹むようにして形成されている等してもよい。
【００３９】
また、取付部８５は、座部８８を備えている。また、座部８８は、溝８６の奥側部分（後側部分）と一体的に設けられている。具体的には、座部８８は、溝８６を形成する２つの平行な凸条８７，８７の奥側部分（後側部分）を繋ぐように形成されている。また、座部８８の前端面は、リブ８０やボス７７の前端面よりも前方に位置しており、基板収容部６３に収容された照明基板３３の前面（表面）と略面一となっている。なお、座部８８は、照明基板３３には接しないようになっている（図４参照）。
【００４０】
また、図６（ａ）および図７に示すように、外壁部５２ｂには、溝８６の手前側部分に開口部９０が設けられている。また、開口部９０は、外壁部５２ｂ側に設けられた各溝８６に対応して１つずつ設けられている。換言すると、開口部９０は、図１２（ａ）に示すように、外壁部５２ｂ側の溝８６の底部８６ａ（ここで、底部８６ａとは外壁部５２ｂの溝８６を構成する部分をいう）に設けられている。詳述すると、外壁部５２ｂ側の溝８６は、底部８６ａが段付き形状（二段構成）になっており、底部８６ａの前側部分は、底部８６ａの後側部分よりも左右方向外側に位置するように一段下がった形状となっている。そして、この底部８６ａの一段下がった部分である深間８６ｂに、開口部９０が設けられている。このように、底部８６ａが複数の段を有しており、底部８６ａの深くなっている部分に開口部９０が設けられていることが好ましい。
【００４１】
また、各開口部９０は、対応する各溝８６に仕切り部材３６が挿入されている場合に、リフレクタ３５の外側（基板収容部６２の外側）から仕切り部材３６を視認することが可能となっている（図７参照）。換言すると、開口部９０は、対応する取付部８５に仕切り部材３６が取り付けられているか否かをリフレクタ３５の外側から視認するための開口部となっている。
【００４２】
また、外壁部５２ｂの外面には、各溝８６に対応する位置、具体的には溝８６と上下方向において一致する位置に、溝８６と平行に延びる溝９２が形成されている。また、この溝９２は、外壁部５２ｂの後端部から、開口部９０の位置まで延びて形成されている。換言すると、左側の基板収容部６２の開口部９０は、溝９２の前端部に設けられている。
【００４３】
仕切り部材３６は、基板収容部６２の前面側から挿入され、取付部８５に取り付けられている。本実施の形態のスロットマシンＸにおいては、基板収容部６２には、３つの仕切り部材３６が収容されており、３つの仕切り部材３６はそれぞれ、上から１番目、３番目、５番目の取付部に取り付けられている（図４、図７参照）。そして、仕切り部材３６は、照明基板３２の前面に設けられたＬＥＤ４０どうしの間に配置され、ＬＥＤ４０どうしの間を仕切るようになっている。なお、本実施の形態においては、仕切り部材３６は、リフレクタ３５と同様に白色の合成樹脂により成形されており、ＬＥＤ４０からの光がパネル４の意匠部６に向かうように光を反射するようになっているが、光を反射しない素材等により成形されておりＬＥＤ４０どうしの間を単に仕切って光が他の領域に及ばないようにするだけのものであってもよい。
【００４４】
また、各仕切り部材３６の後端面は、照明基板３２の前面（表面）および取付部８５の座部８８の前端面に当接した状態となっている。また、仕切り部材３６の前端面は、内壁部５３、段差部５４および凸条８７の前端面と面一となっている。また、仕切り部材３６の側端面はそれぞれ外壁部５２ｂまたは内壁部５３ｂに当接または近接した状態となっている。すなわち、前述のように、仕切り部材３６は、略長方形板状となっているが、仕切り部材３６の内壁部５３ｂ側の辺は、内壁部５３ｂに沿うように、奥側の辺（照明基板３３側の辺）および手前側の辺（パネル４側の辺）に対して傾斜している。
なお、ここで、左側の基板収容部６２において、仕切り部材３６の側端面は、具体的には溝８６の底部８６ａの最も右側の段８６ｄ（図１２（ａ）参照）に当接または近接している。そして、仕切り部材３６の側端面と、深間８６ｂ（開口部９０）との間には隙間が形成されている。
【００４５】
背面板５１ｂの各取付部８５に対応する部分には、図６（ａ）に示すように、各取付部８５を識別するための記号（番号）９１が記されている。具体的には、取付部８５には、上から順に１〜６の番号が割り当てられており、背面板５１ｃの各取付部８５近傍の部分に、その取付部８５を示す番号の形状に突出した突出部９１が設けられている。また、記号９１は、取付部８５に仕切り部材３６が取り付けられた状態においても、正面から視認可能となっている。そして、この記号９１を利用することより、例えばスロットマシンＸを組み立てる際など、仕切り部材３６をリフレクタ３５に設ける際に、作業を行う人間が、どの取付部に仕切り部材３６を取り付けたら良いかや、正しい位置に仕切り部材３６が取り付けられているか等を確認することができるようになっている。
なお、記号９１は、例えば、アルファベット等の文字であってもよく各取付部８５を識別することができるものであればよい。また、記号９１は、基板収容部６２の内側（リフレクタ３５の内側）ではなく、外側に設けられていてもよい。このようになっていれば、どの取付部８５に仕切り部材３６が取り付けられているかを、基板収容部６２の外側から開口部９０を通して確認する際に、所望の取付部８５に仕切り部材３６が取り付けられているかを記号９１を見ながら容易に確認することができる。
【００４６】
続いて、右側の基板収容部６３について説明する。なお、右側の基板収容部６３は、左側の基板収容部６２とほぼ左右対称の構成となっており、右側の基板収容部６３が左側の基板収容部６２と主に異なる点は、仕切り部材３６をリフレクタ３５の外側から視認可能とする開口部９０の位置であるため、以下ではこの点について説明し、左側の基板収容部６２と同様の構成については同様の記号を付し、その説明を省略ないし簡略化する。
【００４７】
図８および図９に示すように、右側の基板収容部６３において、外壁部５２ｃには、溝８６の後側部分であって、座部８８の前端面よりも前側に開口部９０が設けられている。また、開口部９０は、外壁部５２ｃ側に設けられた各溝８６に対応して１つずつ設けられている。換言すると、開口部９０は、図１２（ｂ）に示すように、外壁部５２ｃ側の溝８６の底部８６ｃ（ここで、底部８６ｃとは外壁部５２ｃの溝８６を構成する部分をいう）に設けられている。また、外壁部５２ｃ側の溝８６は、外壁部５２ｂ側の溝８６とは異なり、底部８６ｃが段付き形状となっておらず、平らな面となっている。また、各開口部９０は、対応する各溝８６に仕切り部材３６が挿入されている場合に、リフレクタ３５の外側（基板収容部６３の外側）から仕切り部材３６を視認することが可能となっている（図９参照）。
【００４８】
すなわち、左側の基板収容部６２の開口部９０は外壁部５２ｂ（溝８６）の前側部分に設けられているのに対し、右側の基板収容部６３の開口部９０は、外壁部５２ｃ（溝８６）の後側部分に設けられている。一方で、外壁部５２ｃの外面には、外壁部５２ｂと同様に、各溝８６に対応する位置、具体的には溝８６と上下方向において一致する位置に、溝８６と平行に延びる溝９３が形成されている。また、この溝９３は、外壁部５２ｃの後端部から、開口部９０の位置まで延びて形成されている。換言すると、右側の基板収容部６３の開口部９０は、溝９３の前端部に設けられている。すなわち、外壁部５２ｂと外壁部５２ｃとのいずれにおいても、外側から見たときに開口部９０が溝９２または溝９３の前端部に設けられているので、開口部９０から仕切り部材３６が取り付けられているか否かを確認する際に、開口部９０の位置が容易にわかる。
なお、左側の基板収容部６２の開口部９０が、外壁部５２ｂ（溝８６）の後側部分や、前後方向中央部分に設けられていてもよい。また、右側の基板収容部６３の開口部９０が外壁部５２ｃの前側部分や前後方向中央部分に設けられていてもよい。また、左側の基板収容部６２と右側の基板収容部６３とで、開口部９０の前後方向における位置が揃えられていてもよい。このように開口部９０の前後方向の位置を揃えることで、リフレクタ３５の外側から仕切り部材３６の位置を確認する際に、開口部９０の位置がわかりやすくなる。また、外壁部５２ｂ，５２ｃの外面の溝９２，９３は、開口部９０がこれらの溝９２，９３の後端部や、前後方向中央部分に位置するように形成されていてもよい。
【００４９】
報知装置収容部６４は、図３に示すように、複数のリブ１００と、４つのボス１０１とを備えている。リブ１００は、背面板５１ｄの前面に立設されており、その前端面は、内壁部５３の前端面よりも後方に位置している。また、４つのボス１０１は、上下左右に離間して設けられている。また、４つのボス１０１の前端面はリブ１００の前端面と面一となっている。そして、報知装置３４は、その後面をリブ１００およびボス１０１の前端面に当接させた状態で、報知装置３４に設けられた４つのネジ挿通孔のそれぞれに挿通されたネジ１０２がボス１０１のネジ孔にねじ込まれることで、報知装置収容部６４に取り付けられている（図４参照）。また、報知装置３４の前面は、仕切り部材３６、内壁部５３、段差部５４および凸条８７の前端面と面一となっている。
【００５０】
リフレクタ３５は、図３に示すように、外壁部５２の下辺部の左右両端部に、パネル４を係止するための係止片１１０，１１０を備えている。この係止片１１０は、外壁部５２の下辺部の前端縁から上方に突出するように設けられている。また、リフレクタは、外壁部５２の上辺部の左右両端部に、パネル４を係止するための係止爪１１１，１１１を備えている。係止爪１１１は、外壁部５２の上辺部の前端縁から前方に突出して設けられているとともに、係止爪１１１の先端の爪が下方を向くようになっており、この先端の爪によってパネル４が係止されるようになっている。
【００５１】
パネル４は、図２に示すように、略長方形の板状となっており、前述のように、表示窓５と意匠部６とを備えている。表示窓５と意匠部６とは、透明な合成樹脂により一体的に成形されている。そして、この一体的に成形された板状部材の中央部を除いた部分の表面に、絵柄（文字等を含む）を印刷することにより、意匠部６が形成されている。
【００５２】
パネル４は、図１０、図１１に示すように、その下端部が係止片１１０，１１０に係止され、上端部が係止爪１１１，１１１に係止されることで、リフレクタ３５に取り付けられている。また、パネル４の下端縁には、上方に向けて略半円状に切り欠いて切り欠き部１２０が３つ設けられており、このうちの中央の切り欠き部１２０が、報知装置３４の円筒状突出部４７に係止されている。また、パネル４の背面は、仕切り部材３６、上側仕切り部材３７、内壁部５３、段差部５４および凸条８７の前端面ならびに報知装置３４の前面に当接した状態となっている。また、パネル４の側端面は、外壁部５２に囲われ、外壁部５２の内面に当接または近接した状態となっている。また、パネル４の意匠部６は、基板収容部６１〜６３および報知装置収容部６４の前側に配置されている。したがって、パネル４がリフレクタ３５に取り付けられた状態において、仕切り部材３６は、パネル４に描かれた意匠によって隠されるので、パネル４を介して仕切り部材３６を視認することが不可能または困難な状態となっている。
【００５３】
前述のように、取付部８５は、一対の溝８６，８６と座部８８とを備えており、各溝８６は、２つの凸条８７，８７と外壁部５２ｂ（底部８６ａ，８６ｃ）または内壁部５３ｂとによって形成されている。そして、仕切り部材３６は、この取付部８５に取り付けられている。すなわち、仕切り部材３６は、溝８６，８６に挿入され、座部８８の前端面に当接することで、リフレクタ３５に取り付けられ、上下左右および後ろへの動きが規制されている。そして、パネル４がリフレクタ３５に取り付けられることで、仕切り部材３６の前端面がパネル４の背面に当接し、前方への動きが規制されている。すなわち、パネル４が無い場合には、仕切り部材３６はリフレクタ３５から逸脱してしまうおそれがあるが、パネル４があることにより、仕切り部材３６のリフレクタ３５からの逸脱が防がれている。換言すると、パネル４は、リフレクタ３５に取り付けられた仕切り部材３６のリフレクタ３５からの逸脱を防止する固定手段となっている。
なお、仕切り部材３６のリフレクタ３５からの逸脱を防止する固定手段としては、例えば、リフレクタ３５に、溝８６，８６に挿入したリフレクタ３５を係止する爪等を設け、これを固定手段としてもよい。すなわち、固定手段は、仕切り部材３６のリフレクタ３５からの逸脱を防止できるものであればよく、取付部８５が固定手段としての役割を兼ねていてもよい。
【００５４】
また、照明基板３２，３３は、図１１に示すように、その裏面（背面）がリフレクタ３５のリブ７６に当接しており、その表面（前面）が仕切り部材３６に当接している。また、リブ７６と仕切り部材３６とは、上下方向にずれて配置されている。すなわち、リブ７６と仕切り部材３６とは照明基板３２，３３の面方向（具体的には、照明基板３２，３３の長辺方向）においてずれた位置に配置されている。換言すると、リブ７６と仕切り部材３６とは、照明基板３２，３３の面に対して垂直な方向において互いに重複しないように配置されている。さらに換言すると、リブ７６と仕切り部材３６とで、照明基板３２，３３の面方向における所定個所を挟み込まないようになっている。
なお、仕切り部材３６は、照明基板３２，３３の表面に設けられたＬＥＤ４０には当たらないようになっている。
【００５５】
次に、照明装置３０の、基板収容部６２部分の組立手順を説明する。
まず、照明基板３２を、前面側から基板収容部６２内に入れ、所定の位置に配置し、ネジ止めする。次いで、仕切り部材３６を、前面側から、所定の取付部８５の溝８６，８６に挿入する。この際に、仕切り部材３６の後端面が、座部８８の前端面および照明基板３２の表面に当接するまで仕切り部材３６を差し込む。次いで、パネル４を、リフレクタ３５の上方からスライドさせて係止片１１０，１１０にパネル４の下端部を係止させ、次いでパネル４の上端部をリフレクタ３５側に押し込んで係止爪１１１，１１１にパネル４の上端部を係止させる。この際に、パネル４は、外壁部５２の内側に収容されるようにする。
以上により、パネル４がリフレクタ３５に取り付けられる。そして、パネル４とリフレクタ３５とが一体化されて固定されることにより、基板収容部６２の開口している前面側がパネル４によって閉塞され、仕切り部材３６がリフレクタ３５から外れるのが防止される。
【００５６】
このような構成のスロットマシンにおいては、固定手段としてのパネル４にリフレクタ３５からの逸脱が防止されている仕切り部材３６に、照明基板３２，３３の表面が当接しているので、この当接している部分が仕切り部材３６によって押さえられる。そして、これによって、照明基板３２，３３が撓むのを防ぐことができる。また、照明基板３２，３３は、リフレクタ３５の開口している側（前側）が、仕切り部材３６に押さえられるので、照明基板３２，３３がリフレクタ３５から逸脱するのを防ぐことができる。すなわち、照明基板３２，３３は、上下の端部がネジ止めによってリフレクタ３５に固定されているが、これ以外の部分は仕切り部材３６によって押さえられているので、ネジ止めによって固定された部分の間の部分にネジを挿通させるための孔等を設けたり、ネジ止めのためのスペースを設けたりする必要がなくなる。また、仕切り部材３６およびパネル４を取り付ける作業が、照明基板３２，３３の撓みや逸脱を防ぐ為の作業となっているので、例えば、照明基板３２，３３の上下方向中央部をネジ止めする等の作業が必要なくなり、照明装置３０の組立時の工程を減らすことができる。
なお、本実施の形態においては、照明基板３２，３３は、上下両端部がネジ止めによりリフレクタ３５に固定されているが、ネジ止めをせずに、仕切り部材３６のみによって前方への逸脱を防ぐようにしてもよい。特に、本実施の形態においては、突起部７８等により、照明基板３２，３３の上下左右への移動が規制されているので、ネジ８１により固定されていなくても、照明基板３２，３３を所望の位置に固定して配置することができる。
【００５７】
また、照明基板３２，３３は、裏面（後面）がリフレクタ３５のリブ７６によって押さえられているので、裏面側への動きをリブ７６によって規制できる。また、仕切り部材３６とリブ７６とは、照明基板３２，３３の面方向においてずれた位置に配置されているため、照明基板３２，３３の一部が仕切り部材３６とリブ７６とによって、挟まれてしまいこの部分に過度の負荷がかかるようなことがない。したがって、照明基板３２，３３の一部に力がかかり過ぎてしまうのを防ぎ、照明基板３２，３３が傷むのを防ぐことができる。
【００５８】
また、組み立てられた照明装置３０において、仕切り部材３６は、その６面が他の部材に覆われた状態となっているため、従来であれば仕切り部材３６を視認することは不可能または困難な状態となる。具体的には、仕切り部材３６は、前面がパネル４の意匠部６に覆われ、上下左右がリフレクタ３５に覆われ、後面がリフレクタ３５および照明基板３２，３３に覆われているため、従来であれば仕切り部材３６をリフレクタ３５の外側から視認することが難しい状態となっている。
しかし、本構成によれば、リフレクタ３５には、仕切り部材３６が取り付けられる取付部８５の近傍に、取付部８５に取り付けられた仕切り部材３６をリフレクタ３５の外側から視認するための開口部９０が設けられているので、所望の取付部８５に仕切り部材３６が取り付けられているか否かを、リフレクタの外側から容易に確認することができる。
特に、本実施の形態においては、１つの基板収容部６２，６３に設けられた複数の開口部９０は、すべて取付部８５（仕切り部材３６）に対して同じ側（例えば、基板収容部６２については、取付部８５の左側）に設けられているため（図７、図９参照）、その基板収容部６２，６３のすべての取付部８５について、仕切り部材３６が取りつけられているか否かを同時に一見して確認することができるようになっている。すなわち、各基板収容部６２，６３に設けられた複数の開口部９０は、その基板収容部６２，６３に取り付けられた複数の仕切り部材３６を一見して確認できる位置に配置されていることが望ましい。
なお、開口部９０は、溝８６の底部８６ａ，８６ｃの略全体にわたり形成されていてもよい。また、開口部９０は、外壁部５２ｂ，５２ｃの前端面まで開口するように設けられていてもよい。また、開口部９０は、溝８６の底部８６ａ，８６ｃではなく、溝８６から若干ずれたところに設けられていてもよい。すなわち、開口部９０は、本実施の形態の遊技機のように取付部８５に接して設けられていても、取付部８５から離れたところに設けられていてもよく、いずれにしても取付部８５に仕切り部材３６が取り付けられているか否かが視認可能となる取付部８５の近傍に開口部９０が設けられていればよい。
【００５９】
また、仕切り部材３６は、その６面がリフレクタ３５やパネル４に囲まれているので、外部から目立たないように隠しつつ、開口部９０から位置が確認できる。また、照明基板３２，３３を仕切り部材３６と同様に前面側から入れるようになっており、基板収容部６２，６３は前側が開口した箱状になっているので、照明基板３２，３３を基板収容部６２，６３に収容した際に、照明基板３２，３３の裏面が背面板５１ｂ，５１ｃに覆われ、照明基板３２，３３の備える電子部品がショートするのを防ぐことができる。また、開口部９０は、仕切り部材３６が挿入される溝８６の底部８６ａ，８６ｃに設けられており、仕切り部材３６が挿入されると溝８６が仕切り部材３６によって塞がれるので、開口部９０から光が漏れたり入ってきたりするのを防ぐことができる。また、左側の基板収容部６２にあっては、底部８６ａが複数の段を有しており、底部８６ａの深くなっている部分８６ｂに開口部９０が設けられているので、仕切り部材３６が挿入されていない場合であっても、照明基板３２からの光が底部８６ａの浅い部分に阻まれ開口部９０から外に漏れにくくなっている。また、右側の基板収容部６３にあっては、開口部９０が底部８６ｃの後側部分に設けられているので、照明基板３３のＬＥＤ４０から、ＬＥＤ４０の光の出射方向に対して、角度が広くなる位置（例えば４５度以上、より好ましくは６０度以上）に開口部９０の前端縁が位置するように配置されており、照明基板６３からの光が開口部９０から外に漏れにくくなっている。
【符号の説明】
【００６０】
４  パネル（固定手段）
３０  照明装置
３２，３３  照明基板
３５  リフレクタ
３６  仕切り部材
４０  ＬＥＤ（光源）
７６  リブ
８５  取付部
Ｘ  スロットマシン
【図１】
2019092632.tif 000003
【図２】
2019092632.tif 000004
【図３】
2019092632.tif 000005
【図４】
2019092632.tif 000006
【図５】
2019092632.tif 000007
【図６】
2019092632.tif 000008
【図７】
2019092632.tif 000009
【図８】
2019092632.tif 000010
【図９】
2019092632.tif 000011
【図１０】
2019092632.tif 000012
【図１１】
2019092632.tif 000013
【図１２】
2019092632.tif 000014